(57)【要約】      （修正有）【課題】滑り止め用爪の出し入れが容易にでき、しかも購買後でも使用者が長さ調節できる、寒冷地用杖を提供することを目的とする。【解決手段】上側パイプ２に対して自由にスライドして長さを調整するための下側パイプ３下端部で足ゴム１０の上方部に、長い縦溝と短い横溝を有するＬ字型ガイド溝１３を設け、上記ガイド溝から外方に突出するガイドピン１８を、下側パイプ内に収容され、バネ１９により上向きの力を受ける滑り止め本体１７に接続し、上記滑り止め本体下端部に滑り止め用爪２０を位置させ、ガイドピンの操作を足で行えるようにしたものである。【選択図】図１
2008055019.tif 000002
【特許請求の範囲】
【請求項１】
上側パイプに対して自由にスライドして長さを調整するための下側パイプ下端部で足ゴムの上方部に、長い縦溝と短い横溝を有するＬ字型ガイド溝を設け、上記ガイド溝から外方に突出するガイドピンと、上記ガイドピンにより下降力を受ける滑り止め本体とその下方の、下側パイプ下端部の金属座金に系止されるばねに押圧されて上動する滑り止め用爪を設けることにより、滑り止め本体の操作を足で行えるようにしたことを特徴とする長さ調整可能な寒冷地用杖。
【請求項２】
上記ガイド溝をいかなる状態においても覆い隠すよう下側パイプの外周に勘合されたガイドピン収納板の鍔部に、ガイドピンを互いに回転しないよう収容したことを特徴とする請求項1記載の長さ調整可能な寒冷地用杖。
【請求項３】
上記Ｌ字型溝の横溝末端部にガイドピンが係止する短い上溝を形成し、ガイドピンの横方向の移動を制限するようにしたことを特徴とする、請求項1、２記載の長さ調整可能な寒冷地用杖。
【発明の詳細な説明】
【技術分野】
【０００１】
本発明は、寒冷地で使用される杖に関し、特に、長さの調整が容易な杖に関する。
【背景技術】
【０００２】
寒冷地においては、冬季間、凍結路面に成り易く、杖に頼る老人等が外出するときは、先端に滑り止めがついた杖を使用するのが一般的であるが、従来のものは、杖の先端に滑り止めを別体に取り付け、雪道で使用しないときは杖の外側に鋭利な爪先端部が上向きになるよう折り返し、雪道で使用するときは下向きにして滑り止めとする形式のものが多く使用されていた。
【０００３】
しかし上記のものは、建物に出入りする度に杖を持ち直して、切り替えしなければならず、また、切り換えに力が要るため、力のない老人や身障者にとっては面倒なだけでなく、操作自体も困難となっていた。そのため、滑り止めを操作せず、下向きにしたまま建物に入ってくる人も多く、床が傷つくだけでなく、かえって滑りやすくなるという危険性もあった。
【０００４】
そのため、上記課題を解決すべく提案されたものに同一出願人による特許第３６９５４１８号公報がある。これは、上下端に握り部と接地キャップを接続する外軸内に収容される内軸の下端に、先端に爪を有する滑り止め部を接続し、握り部の先端部に設けたハンドルの操作により、上記接地キャップから出し入れできるようにしたものであり、建物に出入りする際、上述した面倒な操作をしなくとも、誰でも歩きながら片手で簡単に切り換え操作ができるため、寒冷地においては非常に有効な杖を提供することができた。
【０００５】
しかし上述のものは、そのような優れた利点がある一方で、ハンドルと滑り止め部を連結する内軸の存在が必須の構成要件になるため、従来の杖のように購買後に使用者が自分に合った長さに調節することができず、店頭で切り詰めしてもらえる場合を除き、多くは製造元でその人の身長に合った長さに切り詰める作業が必要となり、店頭で在庫してもらい、その場で販売することが困難になるという問題があった。また、せっかく長さ合わせをしてもらっても、使用しているうちに少し寸法を変えたい、という場合の対応も難しかった。
【発明の開示】
【発明が解決しようとする課題】
【０００６】
上記点に鑑み、本発明は、滑り止め用爪の出し入れが容易にでき、しかも、購買後でも使用者が長さ調節できる杖を提供することを目的とする。
【課題を解決するための手段】
【０００７】
上側パイプに対して自由にスライドして長さを調整するための下側パイプ下端部で足ゴムの上方部に、長い縦溝と短い横溝を有するＬ字型ガイド溝を設け、上記ガイド溝から外方に突出するガイドピンを、下側パイプ内に収容され、ばねにより上向きの力を受ける滑り止め本体に接続し、上記滑り止め本体下端部に滑り止め用爪を位置させ、ガイドピンの操作を足で行えるようにしたことを特徴としている。
【発明の効果】
【０００８】
本発明によれば、滑り止め用爪の出し入れ操作を下側パイプの下端部に設けたガイドピンにより行うようにしたため、引用例のような内軸を必要とせず、従って、従来製品と同様の方法で長さ調節が自由にでき、また、滑り止め用爪の出し入れも従来製品に比してはるかに容易にできるため、寒冷地に最適の杖を提供できる効果がある。
【発明を実施するための最良の形態】
【０００９】
以下、図面に示す実施例に基づいて本発明の実施形態について詳述する。
【実施例１】
【００１０】
図1およびその下側パイプの正面図を示す図2において、1はグリップ、2は上側パイプ、3は下側パイプ、4は上側パイプに複数個設けた長さ調節用の穴、５は下側パイプ3内に収容された線ばね６に押圧されて上記穴4に勘合する長さ調節ピン、７は上側パイプ2下端部に設けたねじ8に螺合する締め付け金具であり、内部に樹脂製の割りカラー９を収容し、締め付け金具7を締めることにより、割りカラー９が下側パイプ3に抱きつき、
上側パイプ2と下側パイプ3のがたつきを防止するようにしている。
【００１１】
１０は下側パイプ３の下端部に挿入された足ゴムであり、中心に下穴１１を穿ち、上部に設けた金属座金１２で下側パイプ３下端部に突合せするようにしている。１３は下側パイプ3の足ゴム1０上方に穿ったＬ字型のガイド溝であり、長い縦溝１４と自走防止用の短い横溝１５、さらに、横溝1５の先端に設けた横移動防止用の上溝1６で構成されている。
【００１２】
１７は下側パイプ３のガイド溝1３部分に収容された滑り止め本体であり、ガイド溝１３から外側に突出したガイドピン１８を離脱しないよう接続している。すべり止め本体１７下端部に、金属座金１２を台座とするばね１９により常に上向きに押圧された滑り止め用爪２０を離脱可能に収容しているが、これはガイド部を設ければ、収容せず、完全に分離させてもよい。また、滑り止め本体１７下端部に滑り止め用爪２０をＯリング等の摩擦で離脱可能に装着し、滑り止め本体１７を直接ばね１９で押圧することもできる。滑り止め用爪に異常がなく、磨耗等で足ゴムだけを交換するとき便利である。
【００１３】
図は滑り止め用爪２０が下側パイプ3内に格納された夏の常態を示しているが、冬になり、滑り止め用爪２０を足ゴム１０から突出させるときは、ばね１９に押圧されたガイドピン１８を足で踏みつけるようにして下降させ、縦溝１４下端部に到達した時点で、そのまま足で横溝１５方向に回転させるか、あるいは、手でグリップ1を時計回りに回転させ、横溝１５の右端部に当接したところで足を離すと、ばね１９によりガイドピン１８が上昇し、上溝１６に入り込んで止まる。そのため、ガイドピン１８が何かに当たるなどして横方向の力（回転力）を受けても、横方向に移動しにくく、効果的に自走を防止している。
【００１４】
建物に入るとき等、滑り止め用爪２０を図の状態に戻したいときは、足でガイドピン１８を少し下降させて上溝１６から外し、そのまま足で先ほどと反対方向に回転させるか、あるいは手でグリップ1を反時計回りに回転させるかして、ガイドピン１８が横溝１５の左端に来たところで足を離すと、ばね１９に押圧されて図１、2の状態に復帰する。
【００１５】
ばね１９は滑り止め本体１７を上動させるだけの力があればよいので、それほど強いものでなくともよく、ガイドピン１８の横方向の移動は足でも手でも行うことができ、また、ガイドピン１８は足ゴム１０のすぐ上に位置させているので、足を持ち上げることなく、踵を地面につけたままつま先で踏み込めるため、力のない老人でも容易に操作できるものである。
【００１６】
杖の長さを調整するときは、締め付け金具7を緩め、長さ調節ピン５を上側パイプ2の中に押し込み回転させ、上下にスライドして、他の穴4に合わせて調節ピン5を線バネ6により突出させ、締め付け金具7を締め付けてやればよい。長さ調節の方法は種々あるが、本発明では、最も多く使用されているものを1例として示している。
【００１７】
滑り止め本体１７と滑り止め用爪２０は一体にすることもできるが、滑り止め用爪２０は、強度、磨耗等を考慮して金属製のものが、滑り止め本体１７は、軽量、滑りやすさ、低価格等を考慮して樹脂製のものが望ましいので、分割するのが普通である。
【実施例２】
【００１８】
図3には滑り止め用爪２０の先端部の他の実施例を示しているが、鋭利な円錐状に尖った形状にする代わりに、円柱の下端部に窪み21を設け、全周に亘るエッジ部22を形成したもので、図1の実施例よりも大きな面積で氷に食い込み、滑りにくいため、雪が少なく、凍結路面になりやすい地域でも安心して使用できる利点がある。
【実施例３】
【００１９】
図4に示す実施例は、下側パイプ３に、実施例1と同様のＬ字型ガイド溝１３を両側に2箇所設け、上記ガイド溝１３を貫通するガイドピン１８を、下側パイプ3の外周にガイド溝１３をいかなる状態においても覆い隠すように勘合されたガイドピン収納板２３の円形の鍔部２４に、互いに回転しないよう、たとえば長方形の溝（図面省略）を穿って収容するなどして接続している。尚，鍔部２４は全周に亘って設けてあれば必ずしも円形でなくてもよい．
【００２０】
さらに、金属座金12に係止されたばね１９に押圧されてガイドピン18に当接する滑り止め本体１７には、やはり凍結路面により対応できるよう、下端部に複数本（実施例では4本）の細い滑り止め用爪２０を、ばね19の外周に離脱しないよう接続し、金属座金12および足ゴム10に穿った４個の穴１１内を上下動できるようにしている。第１実施例と異なり、滑り止め用爪２０が複数本あるため、操作時は鍔部２１を踏み込んだ後、手で杖自体を回転させるよりも足で回転させたほうが操作性がよい。そのため、ガイドピン収容板２３には、回転させやすいように複数個の突起を設ける等の工夫をすることが望ましい。
【００２１】
本実施例のものは、ガイドピン収納板２３がガイド溝13を外方から覆い隠すような構造を有しているため、泥や異物が下側パイプ内に入りにくく、鍔部２２のどこを踏んでも操作できるので、図1の実施例のように、長さ調整時の上側パイプ２と下側パイプ3の位置関係が固定されるものでなく、どの位置に来るかわからないようなものに有利となる。さらに、鍔部２２は実施例1のガイドピン18に比して、何かにぶつかって回転するという可能性が小さくなるので、上溝１６を省略することも考えられる。        
【図面の簡単な説明】
【００２２】
【図１】本発明の1実施例を示す縦断面図である。
【図２】図1の下部正面図である。
【図３】図1の滑り止め用爪の他の実施例を示す、部分縦断面図である。
【図４】本発明の他の実施例を示す、部分縦断面図である。
【符号の説明】
【００２３】
１      グリップ
２      上側パイプ
３      下側パイプ
１０      足ゴム
１２      金属座金
１３      ガイド溝
１４      縦溝
１５      横溝
１６      上溝
１７      滑り止め本体
１８      ガイドピン
１９      ばね
２０      滑り止め用爪
２１      窪み
２２      エッジ部
２３      ガイドピン収容板
２４      鍔部
【図１】
2008055019.tif 000003
【図２】
2008055019.tif 000004
【図３】
2008055019.tif 000005
【図４】
2008055019.tif 000006
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
上側パイプに対して自由にスライドして長さを調整するための下側パイプ下端部で足ゴムの上方部に、長い縦溝と短い横溝を有するＬ字型ガイド溝を設け、上記ガイド溝から外方に突出するガイドピンと、上記ガイドピンにより下降力を受け、下側パイプ下端部の金属座金に係止されるばねに押圧されて上動する、滑り止め本体とその下方の滑り止め用爪を設けることにより、操作時はガイドピンを足で抑え、手でグリップを持ち上げて回転させるようにしたことを特徴とする長さ調整可能な寒冷地用杖。
【請求項２】
上記ガイド溝をいかなる状態においても覆い隠すよう下側パイプの外周に勘合されたガイドピン収納版の鍔部に、ガイドピンを回転不能に収容したことを特徴とする、請求項１記載の長さ調整可能な寒冷地用杖。
【請求項３】
上記Ｌ字型溝の横溝末端部に、ガイドピンが係止する短い上溝を形成し、ガイドピンの横方向の移動を制限するようにしたことを特徴とする、請求項１、２記載の長さ調整可能な寒冷地用杖。
【手続補正２】
【補正対象書類名】明細書
【補正対象項目名】０００７
【補正方法】変更
【補正の内容】
【０００７】
上側パイプに対して自由にスライドして長さを調整するための下側パイプ下端部で足ゴムの上方部に、長い縦溝と短い横溝を有するＬ字型ガイド溝を設け、上記ガイド溝から外方に突出するガイドピンと、上記ガイドピンにより下降力を受け、下側パイプ下端部の金属座金に係止されるばねに押圧されて上動する、滑り止め本体とその下方の滑り止め用爪を設けることにより、操作時はガイドピンを足で抑え、手でグリップを持ち上げて回転させるようにしたことを特徴としている。
【手続補正３】
【補正対象書類名】明細書
【補正対象項目名】００１３
【補正方法】変更
【補正の内容】
【００１３】
図は滑り止め用爪２０が下側パイプ３内に格納された夏の常態を示しているが、冬になり、滑り止め用爪２０を足ゴム１０から突出させるときは、ばね１９に押圧されたガイドピン１８を足で押さえたままグリップ１を持ち上げ、ピン１８が縦溝１４下端部に到達した時点で、そのままグリップ１を回転させてピン１８を横溝１５に入れ込み、横溝１５の右端部に当接したところで足を離すと、ばね１９によりガイドピン１８が上昇し、上溝１６に入り込んで止まる。そのため、ガイドピン１８が何かに当たるなどして横方向の力（回転力）を受けても、横方向に移動しにくく、効果的に自走を防止している。
【手続補正４】
【補正対象書類名】明細書
【補正対象項目名】００１４
【補正方法】変更
【補正の内容】
【００１４】
建物に入るとき等、滑り止め用爪２０を図の状態に戻したいときは、足でガイドピン１８を押さえたまま、グリップ１を少し持ち上げて上溝１６から外し、そのまま先ほどと反対方向に回転させて、ガイドピン１８が横溝１５の左端に来たところで足を離すと、ばね１９に押圧されて図１、２の状態に復帰する。
【手続補正５】
【補正対象書類名】明細書
【補正対象項目名】００１５
【補正方法】変更
【補正の内容】
【００１５】
ばね１９は滑り止め本体１７を上動させるだけの力があればよいので、それほど強いものでなくともよく、ガイドピン１８の横方向の移動は手で行うことができ、また、ガイドピン１８は足ゴム１０のすぐ上に位置させているので、足を持ち上げることなく、踵を地面につけたままつま先でガイドピン１８を押さえておくだけでよく、力のない老人でも容易に操作できるものである。
【手続補正６】
【補正対象書類名】明細書
【補正対象項目名】００２０
【補正方法】変更
【補正の内容】
【００２０】
さらに、金属座金１２に係止されたばね１９に押圧されてガイドピン１８に当接する滑り止め本体１７には、やはり凍結路面により対応できるよう、下端部に複数本（実施例では４本）の細い滑り止め用爪２０を、ばね１９の外周に離脱しないよう接続し、金属坐金１２および足ゴム１０に穿った４個の穴１１内を上下動できるようにしている。第１実施例と異なり、滑り止め用爪２０が複数本あるため、下側パイプ３は、できるだけ大径にすることが望ましく、また、Ｌ型溝１３を２箇所設けているので、強度面からも、下側パイプ３内を上側パイプ２がスライドするようにしたほうがよい。